(57)【要約】      （修正有）【課題】無線通信装置の取付角度の調整や通信状態の確認をエレベータかご内もしくは機械室などの安全な場所で実施できるようにしたエレベータの無線通信装置を得る。【解決手段】エレベータ機械室もしくは昇降路内に設置されるエレベータ制御盤と、エレベータかごに設置されるかご操作盤等のかご側機器との間で無線通信を行うエレベータの無線通信装置１において、無線通信装置のアンテナ取付角度識別手段９と、無線通信装置の受信レベル識別手段１１と、無線通信装置のアンテナ取付角度調整手段８とを備える。【選択図】図１
2006321579.tif 000002
【特許請求の範囲】
【請求項１】
エレベータ機械室もしくは昇降路内に設置されるエレベータ制御盤と、エレベータかご
に設置されるかご操作盤等のかご側機器との間で無線通信を行うエレベータの無線通信装
置において、
前記無線通信装置のアンテナ取付角度識別手段と、前記無線通信装置の受信レベル識別
手段と、前記無線通信装置のアンテナ取付角度調整手段と、を備えたことを特徴とするエ
レベータの無線通信装置。
【請求項２】
エレベータ機械室もしくは昇降路内に設置されるエレベータ制御盤と、エレベータかご
に設置されるかご操作盤等のかご側機器との間で無線通信を行うエレベータの無線通信装
置において、
前記無線通信装置のアンテナ取付角度識別手段と、前記アンテナ取付角度識別手段で識
別されたアンテナ角度を表示するアンテナ角度表示手段と、前記無線通信装置の受信レベ
ル識別手段と、前記受信レベル識別手段で識別された受信レベルを表示する受信レベル表
示手段と、前記無線通信装置のアンテナ取付角度調整手段と、を備えたことを特徴とする
エレベータの無線通信装置。
【請求項３】
アンテナ取付角度調整信号を多重化変調して、向かい合う相手側無線通信装置に無線信号で出力することを特徴とする請求項１又は請求項２記載のエレベータの無線通信装置。
【請求項４】
無線通信装置とは別に取付調整用装置を設け、前記取付調整用装置は、アンテナ角度を
表示するアンテナ角度表示手段と、受信レベルを表示する受信レベル表示手段と、アンテ
ナ取付角度調整手段とを備え、無線通信装置とケーブル接続もしくは無線通信で信号伝送
して、前記取付調整用装置により前記無線通信装置のアンテナ取付角度を調整することを
特徴とする請求項２記載のエレベータの無線通信装置。
【請求項５】
エレベータかご操作盤のインジケータ、操作ボタンおよび設定スイッチに、アンテナ角
度を表示するアンテナ角度表示機能、受信レベルを表示する受信レベル表示機能、アンテ
ナ取付角度調整機能を持たせたことを特徴とする請求項２記載のエレベータの無線通信装置。
【請求項６】
設定階床位置においてアンテナ角度を所定の範囲で走査しながら、受信レベル状態が最良の姿勢を探索し、最良の受信レベルが得られるアンテナ角度を記憶する機能を備えたことを特徴とする請求項１又は請求項２記載のエレベータの無線通信装置。
【請求項７】
各階床位置においてアンテナ角度を所定の範囲で走査しながら、受信レベル状態が最良の姿勢を探索し、各階床毎に最良の受信レベルが得られるアンテナ角度を階床情報と関連付けて記憶する機能を備えたことを特徴とする請求項１又は請求項２記載のエレベータの無線通信装置。
【請求項８】
エレベータの通常走行中にアンテナ角度を所定の範囲で揺動しながら、受信レベルを常にモニタし、リアルタイムに最良のアンテナ角度を探索しながら自動調整する機能を備えたことを特徴とする請求項１又は請求項２記載のエレベータの無線通信装置。
【発明の詳細な説明】
【技術分野】
【０００１】
この発明は、エレベータ制御盤とかごとの間で信号の授受を無線で行うエレベータの無線通信装置に関するものである。
【背景技術】
【０００２】
従来のエレベータの無線通信装置においては、無線通信装置本体にその無線通信装置の取付角度を表示する表示器を備え、無線通信装置の取付状態を確認できるようにしたものがある（例えば、特許文献１参照）。また、無線通信装置に無線信号の受信レベルを示す表示器を備え、受信信号のパワーレベルが最良になるように、無線通信装置の取付位置や角度を調整できるようにしたものがある（例えば、特許文献２参照）。
【０００３】
【特許文献１】特開２００１−３３５２４８号公報
【特許文献２】特開２００４−９９２４３号公報
【発明の開示】
【発明が解決しようとする課題】
【０００４】
従来のエレベータの無線通信装置では、無線通信装置の取付状態や無線信号受信レベルを確認することができるが、その確認と取付角度の調整は、例えばエレベータのかご側の場合はエレベータかご上に作業者が乗り込み、かごの位置を移動させながら実施しなければならず、作業者の負担が大きく、かつ作業時間が大幅にかかるという問題点があった。
【０００５】
この発明は上記のような課題を解決するためになされたもので、無線通信装置の取付角度の調整や通信状態の確認をエレベータかご内もしくは機械室などの安全な場所で実施できるようにしたエレベータの無線通信装置を提供するものである。
【課題を解決するための手段】
【０００６】
この発明に係るエレベータの無線通信装置においては、エレベータ機械室もしくは昇降
路内に設置されるエレベータ制御盤と、エレベータかごに設置されるかご操作盤等のかご
側機器との間で無線通信を行うエレベータの無線通信装置において、無線通信装置のアン
テナ取付角度識別手段と、無線通信装置の受信レベル識別手段と、無線通信装置のアンテ
ナ取付角度調整手段とを備えたものである。
【発明の効果】
【０００７】
この発明によれば、無線通信装置のアンテナ取付角度の調整や通信状態の確認をエレベータかご内もしくは機械室などの安全な場所で実施することができる。
【発明を実施するための最良の形態】
【０００８】
実施の形態１.
図１はこの発明の実施の形態１におけるエレベータの無線通信装置を示すブロック構成図である。
図１において、１はエレベータの無線通信装置で、一般的にエレベータ機械室側および
エレベータかご上に設置され、エレベータ機械室に設置される機器（エレベータ制御盤、
モニタ、音声出力装置等）とエレベータかご側に設置される機器（かご操作盤、カメラ、
スピーカ等）の伝送信号を無線信号で行う装置である。２は無線通信装置１のアンテナ、
３はアンテナ２の取付角度を変更するアンテナ角度駆動装置、４は変調／復調回路、５は
音声信号インターフェース回路で、音声出力装置もしくはスピーカ等を接続するインター
フェースである。６は映像信号インターフェース回路で、カメラもしくはモニタ等を接続
するインターフェースである。７はデータ信号インターフェース回路で、エレベータ制御
盤もしくはかご操作盤等のかご機器を接続してシリアルデータ通信を行うためのインター
フェースである。８はアンテナ角度駆動装置３を操作してアンテナ２の取付角度を任意に
操作するためのアンテナ角度調整装置、９はアンテナ２の取付角度が垂直方向に対してど
の角度に取り付けられているかを識別するアンテナ角度識別回路、１０はアンテナ角度識
別回路９から出力される信号に基づいてアンテナ２の取付角度を表示するアンテナ角度表
示装置、１１は変調／復調回路４から復調回路の信号レベルを受け、その信号レベルから
無線信号の受信レベルを識別する受信レベル識別回路、１２は受信レベル識別回路１１か
ら出力される信号に基づいて無線信号の受信レベルを表示する受信レベル表示装置、１３
はアンテナ角度調整装置８とアンテナ角度表示装置１０と受信レベル表示装置１２を後述
する取付調整用装置１４として無線通信装置１の本体とは別の装置とした場合に、その取
付調整用装置１４を接続するための調整装置接続インターフェース回路で、接続はケーブ
ルを使用したコネクタ接続、又は電波信号や光信号を用いた無線信号接続を行う。
【０００９】
この発明による無線通信装置１は、一般的にエレベータ機械室側およびエレベータかご
上に設置され、エレベータ機械室に設置される機器（エレベータ制御盤、モニタ、音声出力装置等）とエレベータかご側に設置される機器（かご操作盤、カメラ、スピーカ等）の伝送信号を無線信号で行う信号伝送装置であり、無線信号には電波信号および光信号が該当する。そして、音声信号インターフェース回路５、映像信号インターフェース回路６、データ信号インターフェース回路７より入力した信号あるいはアンテナ取付角度調整信号を、変調／復調回路４にて多重化変調してアンテナ２より向かい合う相手側無線通信装置１に無線信号で出力する。相手側無線通信装置１は、入力した無線信号を復調して該当する信号に分離し、それぞれ音声信号インターフェース回路５、映像信号インターフェース回路６、データ信号インターフェース回路７に信号を出力する。このような無線信号の授受動作を無線通信装置相互間で行う。
【００１０】
ここで、この発明では、アンテナ２にアンテナ角度駆動装置３を設け、アンテナ角度を任意に変えることができることを特徴としている。無線通信装置１の本体に設けられたアンテナ角度調整装置８もしくは調整装置接続インターフェース回路１３に接続される取付調整用装置により、アンテナ角度を任意に変えることができる。また、アンテナ角度識別回路９を介して、アンテナ角度表示装置１０もしくは調整装置接続インターフェース回路１３に接続される取付調整用装置によりアンテナ角度が表示されるので、アンテナ角度がどの角度にあるのかを理解した上でアンテナ角度を変えることができる。これにより、シビアなアンテナ取付角度調整作業が要求される無線通信装置１の設置が、エレベータ機械室もしくはエレベータかご内から容易に行うことができる。また、受信レベル識別回路１１を介して、受信レベル表示装置１２もしくは調整装置接続インターフェース回路１３に接続される取付調整用装置により無線信号の受信レベルが表示されるので、無線通信装置１のアンテナ２の取付状態と無線通信装置１の無線信号受信レベルを確認しながらのアンテナ角度調整が行えるので、より精度の高い無線通信装置１の設置が可能となる。
なお、データ信号インターフェース回路７に接続されるかご操作盤に、取付調整用装置の機能を持たせてデータ信号に付加し、変調／復調回路４でその信号を識別することにより、かご操作盤の所定の操作に対してアンテナ角度駆動装置３に指令を出してアンテナ２の取付角度を変えたり、またアンテナ角度識別回路９の信号を変調／復調回路４でデータ信号に付加してかご操作盤に出力することにより、かご操作盤はアンテナ２の取付角度をかご操作盤のインジケータに表示することができ、取付調整用装置が無くても、エレベータかご内でかご操作盤を操作することにより無線通信装置１のアンテナ２の取付角度調整と取付角度確認を行うことができる。
【００１１】
実施の形態２.
図２はこの発明の実施の形態２におけるエレベータの無線通信装置の取付調整用装置を示す斜視図である。
図２において、１４は取付調整用装置、１５は無線通信装置１の調整装置接続インターフェース回路１３に接続するコネクタ、１６は同様に無線通信装置１の調整装置接続インターフェース回路１３に接続する光信号発光／受光部、１７は同様に無線通信装置１の調整装置接続インターフェース回路１３に接続する電波アンテナ、１８は無線通信装置１の無線信号の受信レベルを表示する受信レベルメータ、１９は無線通信装置１のアンテナ２のＸ軸方向の取付角度を表示するＸ軸取付角度表示メータ、２０は同様に無線通信装置１のアンテナ２のＹ軸方向の取付角度を表示するＹ軸取付角度表示メータ、２１は接続される無線通信装置１（自局）か、あるいはその無線通信装置１から無線通信する相手側の無線通信装置１（他局）かを選択する自局／他局選択スイッチ、２２は無線通信装置１のアンテナ２の取付角度をＸ軸方向に動かすためのアンテナ角度Ｘ軸方向移動スイッチ、２３は同様に無線通信装置１のアンテナ２の取付角度をＹ軸方向に動かすためのアンテナ角度Ｙ軸方向移動スイッチである。
【００１２】
自局／他局選択スイッチ２１により、自局／他局の選択が可能であり、他局を選択した場合は、取付調整用装置１４からの指令信号を調整装置接続インターフェース回路１３を介して変調／復調回路４で多重化してアンテナ２を介して相手側無線通信装置１に指令を出力する。相手側無線通信装置１は無線信号よりその指令を受信して、変調／復調回路４で識別してその指令に基づいてアンテナ角度駆動装置３を駆動するとともに、アンテナ角度識別回路９からのアンテナ角度信号および受信レベル識別回路１１からの受信レベル信号を取付調整用装置１４が接続される無線通信装置１に送り返し、取付調整用装置１４が接続される無線通信装置１はそのアンテナ角度信号と受信レベル信号を取付調整用装置１４に出力して、取付調整用装置１４は取付角度表示メータ１９、２０および受信レベルメータ１８に表示する。これにより、自局のアンテナ２の取付角度調整と無線信号の受信レベル確認のみならず、相手側無線通信装置のアンテナの取付角度調整と無線信号の受信レベル確認を行うことができる。
【００１３】
実施の形態３.
図３はこの発明の実施の形態３におけるエレベータの無線通信装置のかご操作盤を示す正面図である。
図３において、２４はかご操作盤、２５はインジケータ、２６はエレベータの運行状態を表示する運行表示灯、２７はかご呼びボタン、２８は戸開ボタン、２９は戸閉ボタン、３０はエレベータの動作モードをスイッチで切り換えることができる設定スイッチであり、これらはかご操作盤に一般的に組み込まれているものである。ここで、設定スイッチ３０は複数個のスイッチが設けられ、このうち、無線通信装置設定モードスイッチ、自局／他局選択スイッチを割り当てると、かご操作盤２４は取付調整用装置１４と同様の機能を有することができる。
例えば、無線通信装置設定モードスイッチを投入すると、通常のかご操作盤動作から無線通信装置設定モードに動作が移行し、自局／他局選択スイッチにより取付調整用装置１４の自局／他局選択スイッチ２１と同様に自局の無線通信装置か、相手側の他局の無線通信装置かを選択し、呼びボタン２７の１階ボタンあるいは２階ボタンのいずれかでＸ軸方向あるいはＹ軸方向を選択し、戸開ボタン２８で＋方向、戸閉ボタン２９で−方向に無線通信装置１のアンテナ２の取付角度を調整できるとともに、インジケータ２５にその時の取付角度を表示するものである。これらの信号は、無線通信装置１のデータ信号インターフェース回路７にて送受信されるものであるが、取付調整用装置１４の場合と同じく、その信号を変調／復調回路４で識別することにより機能切り換えが可能となる。
受信レベルメータが必要な場合、インジケータ２５に受信レベルをデジタル表示させ、インジケータ２５は取付角度と受信レベルを所定の周期で切り換え表示することにより、かご操作盤２４でも無線信号の受信レベル確認が可能となる。    
【００１４】
したがって、実施の形態３によれば、取付調整用装置１４が無くとも、無線通信装置１のアンテナ２の取付角度調整をエレベータかご内にてかご操作盤を操作することにより行うことができる。
【００１５】
実施の形態４.
図４はこの発明の実施の形態４におけるエレベータの無線通信装置を示す概略構成図である。
図４において、３１はエレベータ機械室、３２はエレベータ巻上機、３３はエレベータ制御盤、３４は昇降路、３５は釣合いおもり、３６は機械室側無線通信装置、３７はかご側無線通信装置、３８はエレベータかご、３９はかご操作盤、４０は作業者である。
作業者４０は、取付調整用装置１４を手に持って操作することにより、かご３８内で機械室側無線通信装置３６およびかご側無線通信装置３７のアンテナ２を、取付角度と受信レベルを確認しながら取付角度調整を行うことができる。  
【００１６】
この実施の形態４においては、かご上での取付調整作業を行う必要がなくなり、作業者の作業負担と作業時間を軽減することが可能となる。また、取付作業時のみならず、保守時の点検も同様に作業負担と作業時間を軽減することが可能となる。
【００１７】
実施の形態５.
図５はこの発明の実施の形態５におけるエレベータの無線通信装置を示すブロック構成図である。
図において、１はエレベータの無線通信装置で、一般的にエレベータ機械室側およびエ
レベータかご上に設置され、エレベータ機械室に設置される機器（エレベータ制御盤、モ
ニタ、音声出力装置等）とエレベータかご側に設置される機器（かご操作盤、カメラ、ス
ピーカ等）の伝送信号を無線信号で行う装置である。２は無線通信装置１のアンテナ、３
はアンテナ２の取付角度を変更するアンテナ角度駆動装置、４は変調／復調回路、５は音
声信号インターフェース回路で、音声出力装置もしくはスピーカ等を接続するインターフ
ェースである。６は映像信号インターフェース回路で、カメラもしくはモニタ等を接続す
るインターフェースである。７はデータ信号インターフェース回路で、エレベータ制御盤
もしくはかご操作盤等のかご機器を接続してシリアルデータ通信を行うためのインターフ
ェースである。９はアンテナ２の取付角度が垂直方向に対してどの角度に取り付けられて
いるかを識別するアンテナ角度識別回路、１１は変調／復調回路４から復調回路の信号レ
ベルを受け、その信号レベルから無線信号の受信レベルを識別する受信レベル識別回路で
ある。４１はアンテナ角度駆動装置３を操作してアンテナ２の取付角度を任意に操作する
ためのアンテナ角度自動調整装置で、アンテナ角度自動調整装置主体４２と階床識別回路
４３とから構成されている。アンテナ角度自動調整装置主体４２はアンテナ角度識別回路
９からアンテナ角度情報（Ｘ軸、Ｙ軸の２軸）、受信レベル識別回路１１から受信レベル
情報、階床識別回路４３から階床情報（階床信号又は階床信号相当のコード信号）を得て
いる。
【００１８】
図６はアンテナ角度自動調整装置の特定階でのオフライン学習を示すフローチャートである。
図６において、特定階でのオフライン機能を持つアンテナ角度自動調整装置４１−１は、設定階床（例えば、最下階）において、２軸のアンテナ角度を所定範囲内で操作するようにアンテナ角度駆動装置３に指令しながら、図示しない対向する無線通信装置（信号伝送装置）からのテスト信号を受信し、このとき受信レベル識別回路１１から得られる受信レベル情報を用いて受信状態の良し・悪しを判断する。そして、所定範囲内の走査が終了した際に最も良好な受信状態が得られるアンテナ角度（２軸）を記憶する「学習モード」と呼ばれる機能を持つ。無線通信装置（信号伝送装置）は、「学習モード」の後には、「学習モード」において記憶した最良アンテナ角度（２軸）の姿勢でアンテナを静止させて用いられる。
【００１９】
図７はアンテナ角度自動調整装置の各階でのオフライン学習を示すフローチャートである。
図７において、各階でのオフライン学習機能を持つアンテナ角度自動調整装置４１−２は、図６に示す特定階でのオフライン機能を持つアンテナ角度自動調整装置４１−１を各階床毎に適用したものに対応する。最良な受信状態を得ることができる最良アンテナ角度の探索および確定動作を、各階床毎に実施し、その各階床毎に得られる最良のアンテナ角度を、各階床に対応する識別情報（階床情報）とともにメモリ手段に記憶する「学習モード」機能を持つ。
一方、エレベータの通常運行時の「通常モード」には、各階床信号に対応しながら、上記「学習モード」で学習したデータである階床情報、（最良）アンテナ角度情報に基づくことによって、アンテナ角度を最良のアンテナ角度に自動調整する。
【００２０】
図８はアンテナ角度自動調整装置の学習レス（リアルタイム）を示すフローチャートである。
図８において、学習レス（リアルタイム）機能を持つアンテナ角度自動調整装置４１−３は、図６に示す特定階でのオフライン機能を持つアンテナ角度自動調整装置４１−１を、エレベータの走行中にリアルタイムに学習動作させたものに基本的には相当する。
エレベータの通常走行中にアンテナ角度をある所定の微少な範囲で揺動しながら、受信レベルを常に無線通信装置自体がモニタし、リアルタイムに最良のアンテナ角度を探索しながら自動調整する。なお、このときのアンテナ角度探索方法としては、例えば、アンテナの揺動動作に対する受信レベルの勾配情報を用いて、その揺動中心が最良受信レベルになるアンテナ角度に一致するように追従させる方法がある。
【図面の簡単な説明】
【００２１】
【図１】この発明の実施の形態１におけるエレベータの無線通信装置を示すブロック構成図である。
【図２】この発明の実施の形態２におけるエレベータの無線通信装置の取付調整用装置を示す斜視図である。
【図３】この発明の実施の形態３におけるエレベータの無線通信装置のかご操作盤を示す正面図である。
【図４】この発明の実施の形態４におけるエレベータの無線通信装置を示す概略構成図である。
【図５】この発明の実施の形態５におけるエレベータの無線通信装置を示すブロック構成図である。
【図６】アンテナ角度自動調整装置の特定階でのオフライン学習を示すフローチャートである。
【図７】アンテナ角度自動調整装置の各階でのオフライン学習を示すフローチャートである。
【図８】アンテナ角度自動調整装置の学習レス（リアルタイム）を示すフローチャートである。
【符号の説明】
【００２２】
１  無線通信装置（信号伝送装置）
２  アンテナ
３  アンテナ角度駆動装置
４  変調／復調回路
５  音声信号インターフェース回路
６  映像信号インターフェース回路
７  データ信号インターフェース回路
８  アンテナ角度調整装置
９  アンテナ角度識別回路
１０  アンテナ角度表示装置
１１  受信レベル識別回路
１２  受信レベル表示装置
１３  調整装置接続インターフェース回路
１４  取付調整用装置
１５  コネクタ
１６  光信号発光／受光部
１７  電波アンテナ
１８  受信レベルメータ
１９  Ｘ軸取付角度表示メータ
２０  Ｙ軸取付角度表示メータ
２１  自局／他局選択スイッチ
２２  アンテナ角度Ｘ軸方向移動スイッチ
２３  アンテナ角度Ｙ軸方向移動スイッチ
２４  かご操作盤
２５  インジケータ
２６  運行表示灯
２７  かご呼びボタン
２８  戸開ボタン
２９  戸閉ボタン
３０  設定スイッチ
３１  エレベータ機械室
３２  エレベータ巻上機
３３  エレベータ制御盤
３４  昇降路
３５  釣合いおもり
３６  機械室側無線通信装置
３７  かご側無線通信装置
３８  エレベータかご
３９  かご操作盤
４０  作業者
４１  アンテナ角度自動調整装置
４２  アンテナ角度自動調整装置主体
４３  階床識別回路
【図１】
2006321579.tif 000003
【図２】
2006321579.tif 000004
【図３】
2006321579.tif 000005
【図４】
2006321579.tif 000006
【図５】
2006321579.tif 000007
【図６】
2006321579.tif 000008
【図７】
2006321579.tif 000009
【図８】
2006321579.tif 000010